(57)【要約】      （修正有）【課題】容易に開封できる物品取り出し用開口を形成可能な箱用シートを提供する。【解決手段】天面パネル１１及びこの天面パネルに連接される側面パネル１２、１４を備え、ラップラウンド型の箱体に組み立てられる箱用シート１であって、天面パネルと側面パネルとに跨がって設けられ、物品取り出し用の開口を形成可能な破断容易部２０を備え、破断容易部が、天面パネルの側縁と平行に延び、天面パネル及び側面パネルの境界線を越えて側面パネルまで延在する一対の第１破断容易線２１と、側面パネルに形成され、第１破断容易線の端部同士に接続される第２破断容易線２２とを有し、第２破断容易線が、一対の第１破断容易線から連続して設けられ、互いに近接する方向に傾斜して延びる一対の傾斜部と、境界線と平行に延び、一対の傾斜部２２ａの先端同士に接続される接続部２２ｂとを有しており、一方の傾斜部に、破断開始用の手掛穴形成部３０が設けられている。【選択図】図１
0003235242.tif 000002
【実用新案登録請求の範囲】
【請求項１】
天面パネル及びこの天面パネルに連接される側面パネルを備え、ラップラウンド型の箱体に組み立てられる箱用シートであって、
上記天面パネルと上記側面パネルとに跨がって設けられ、物品取り出し用の開口を形成可能な破断容易部を備え、
上記破断容易部が、
上記天面パネルの側縁と平行に延び、上記天面パネル及び上記側面パネルの境界線を越えて上記側面パネルまで延在する一対の第１破断容易線と、
上記側面パネルに形成され、上記第１破断容易線の端部同士に接続される第２破断容易線と
を有し、
上記第２破断容易線が、
上記一対の第１破断容易線から連続して設けられ、互いに近接する方向に傾斜して延びる一対の傾斜部と、
上記境界線と平行に延び、上記一対の傾斜部の先端同士に接続される接続部と
を有しており、
一方の上記傾斜部に、破断開始用の手掛穴形成部が設けられている箱用シート。
【請求項２】
上記傾斜部と上記接続部とのなす傾斜角度が、１５度以上４５度以下である請求項１に記載の箱用シート。
【請求項３】
上記一対の第１破断容易線の上記側面パネルに延在する部分が等長であり、
その長さが、５ｍｍ以上２０ｍｍ以下である請求項１又は請求項２に記載の箱用シート。
【請求項４】
上記手掛穴形成部が、上記第２破断容易線から上記天面パネルを見て右側の傾斜部上に位置している請求項１、請求項２又は請求項３に記載の箱用シート。
【請求項５】
上記手掛穴形成部が、先端同士が突き合わされ、組み立てた状態の箱体の内側に押し込み可能な一対の破断開始片を有し、
上記一対の破断開始片の先端が上記傾斜部で画定されている請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この箱体として、上下方向に対向する天面パネル及び底面パネルと、左右方向に対向する一対の側面パネルとを備えるラップラウンド型の箱体が用いられている。
【０００３】
このラップラウンド型の箱体では、天面パネルと一方の側面パネルとに跨がって設けられ、物品取り出し用の開口を形成可能な破断容易部を備えたものが公知である（例えば特開２０１４−６９８１２号公報参照）。
【０００４】
この従来の破断容易部では、側面パネル部分の先端中央に開封開始用のつまみが区画されており、このつまみを起点として破断容易線がＶ字状に広がり、さらに天面パネルに連続して略平行に延びている。
【先行技術文献】
【特許文献】
【０００５】
【特許文献１】特開２０１４−６９８１２号公報
【考案の概要】
【考案が解決しようとする課題】
【０００６】
上記従来の破断容易部では、例えば側面パネルの高さが低い場合などにＶ字の角度が１８０度に近づく場合がある。このような場合には、上記従来の破断容易部では、つまみを起点としてＶ字状に開封するには大きな力が必要となり、開封し難くなる。
【０００７】
本考案は、このような事情に鑑みてなされたものであり、容易に開封することができる物品取り出し用の開口を形成可能な破断容易部を備える箱用シートの提供を課題とする。
【課題を解決するための手段】
【０００８】
本考案の一態様に係る箱用シートは、天面パネル及びこの天面パネルに連接される側面パネルを備え、ラップラウンド型の箱体に組み立てられる箱用シートであって、上記天面パネルと上記側面パネルとに跨がって設けられ、物品取り出し用の開口を形成可能な破断容易部を備え、上記破断容易部が、上記天面パネルの側縁と平行に延び、上記天面パネル及び上記側面パネルの境界線を越えて上記側面パネルまで延在する一対の第１破断容易線と、上記側面パネルに形成され、上記第１破断容易線の端部同士に接続される第２破断容易線とを有し、上記第２破断容易線が、上記一対の第１破断容易線から連続して設けられ、互いに近接する方向に傾斜して延びる一対の傾斜部と、上記境界線と平行に延び、上記一対の傾斜部の先端同士に接続される接続部とを有しており、一方の上記傾斜部に、破断開始用の手掛穴形成部が設けられている。
【考案の効果】
【０００９】
本考案の箱用シートは、容易に開封することができる物品取り出し用の開口を形成可能な破断容易部を備える。
【図面の簡単な説明】
【００１０】
【図１】図１は、本考案の一実施形態に係る箱用シートを示す模式的平面図である。
【図２】図２は、図１の箱用シートを組み立てて得られる箱体を示す模式的斜視図である。
【図３】図３は、図２の箱体の手掛穴形成部の使用状態を示す模式的部分拡大図である。
【図４】図４は、図２の箱体の破断容易部の開封途上の状態を示す模式的斜視図である。
【００１１】
［本考案の実施形態の説明］
最初に本考案の実施態様を列記して説明する。
【００１２】
本考案の一態様に係る箱用シートは、天面パネル及びこの天面パネルに連接される側面パネルを備え、ラップラウンド型の箱体に組み立てられる箱用シートであって、上記天面パネルと上記側面パネルとに跨がって設けられ、物品取り出し用の開口を形成可能な破断容易部を備え、上記破断容易部が、上記天面パネルの側縁と平行に延び、上記天面パネル及び上記側面パネルの境界線を越えて上記側面パネルまで延在する一対の第１破断容易線と、上記側面パネルに形成され、上記第１破断容易線の端部同士に接続される第２破断容易線とを有し、上記第２破断容易線が、上記一対の第１破断容易線から連続して設けられ、互いに近接する方向に傾斜して延びる一対の傾斜部と、上記境界線と平行に延び、上記一対の傾斜部の先端同士に接続される接続部とを有しており、一方の上記傾斜部に、破断開始用の手掛穴形成部が設けられている。
【００１３】
当該箱用シートは、手掛穴形成部が第２破断容易線の傾斜部に設けられている。このため、この手掛穴形成部から開封を始めると、上記傾斜部に近い側の第１破断容易線と第２破断容易線の接続部とが、Ｖ字状に開封されていく。このＶ字の角度は、例えば側面パネルの高さが低い場合であっても約９０度であるから、組み立てられる箱体の形状によらず容易に開封することができる。
【００１４】
上記傾斜部と上記接続部とのなす傾斜角度としては、１５度以上４５度以下が好ましい。このように上記傾斜部と上記接続部とのなす傾斜角度を上記範囲内とすることで、上記傾斜部から上記接続部へスムーズに開封させることができる。
【００１５】
上記一対の第１破断容易線の上記側面パネルに延在する部分が等長であり、その長さとしては、５ｍｍ以上２０ｍｍ以下が好ましい。このように上記一対の第１破断容易線の上記側面パネルに延在する部分の長さを上記範囲内とすることで、上記傾斜部から第１破断容易線の側面パネル部分を超えて天面パネル部分へスムーズに開封させることができる。
【００１６】
上記手掛穴形成部が、上記第２破断容易線から上記天面パネルを見て右側の傾斜部上に位置しているとよい。このように上記手掛穴形成部を上記第２破断容易線から上記天面パネルを見て右側の傾斜部上に位置させることで、一般に多い右利きの使用者に使い勝手よくすることができる。
【００１７】
上記手掛穴形成部が、先端同士が突き合わされ、組み立てた状態の箱体の内側に押し込み可能な一対の破断開始片を有し、上記一対の破断開始片の先端が上記傾斜部で画定されているとよい。このように上記手掛穴形成部を画定することで、上記傾斜部に沿って容易に開封させることができる。
【００１８】
なお、本考案において、「上」とは、箱用シートを組み立ててなる箱体において想定される一般的な使用態様における水平方向を基準とする上を意味し、「下」とは、上記水平方向を基準とする下を意味する。「内」とは、箱用シートを組み立ててなる箱体における「内」を意味し、「外」とは上記箱体における「外」を意味する。
【００１９】
［本考案の実施形態の詳細］
以下、本考案の実施形態に係る箱用シートについて適宜図面を参照しつつ説明する。
【００２０】
図１に示す箱用シート１は、天面パネル１１及びこの天面パネル１１に連接される第１側面パネル１２を備え、図２に示すラップラウンド型の箱体２に組み立てられる箱用シートである。なお、図１において、太い実線はシートを切断して形成される切断線を示し、細い実線はシートの片面を筋押しして形成される罫線を示す。
【００２１】
具体的には、当該箱用シート１は、一方側から他方側（図１の下から上）に順に連接される底面パネル１３、第１側面パネル１２、天面パネル１１、第２側面パネル１４及び継代１５と、天面パネル１１の両側の側縁から延出する一対の上外フラップ１６と、底面パネル１３の両側の側縁から延出する一対の下外フラップ１７と、第１側面パネル１２の両側の側縁から延出する一対の第１内フラップ１８と、第２側面パネル１４の両側の側縁から延出する一対の第２内フラップ１９とを備える。また、当該箱用シート１は、天面パネル１１と第１側面パネル１２とに跨がって設けられ、物品取り出し用の開口を形成可能な破断容易部２０を備える。
【００２２】
そして、当該箱用シート１を組み立ててなる箱体２は、天面パネル１１及び底面パネル１３が上下方向に対向し、かつ第１側面パネル１２及び第２側面パネル１４が左右方向に対向する。なお、本考案において、「左右方向」とは、箱用シートを組み立ててなる箱体において想定される一般的な使用態様における水平方向をいう。
【００２３】
当該箱用シート１を箱体２に組み立てる手順の一例について説明する。まず、天面パネル１１の内面に箱体２に収容する物品を載置する。その後、第２側面パネル１４を天面パネル１１に対して略９０°立ち上げ、第２側面パネル１４の両側の側縁から延出する一対の第２内フラップ１９を内側に略９０°折り曲げる。さらに、継代１５を第２側面パネル１４に対して内側に略９０°折り曲げる。次に、第１側面パネル１２を天面パネル１１に対して略９０°立ち上げたうえ、底面パネル１３を天面パネル１１と対向するように折り曲げる。この際、底面パネル１３は、天面パネル１１に載置された物品に下方から支持されることで、天面パネル１１と平行に維持される。続いて、第１側面パネル１２の両側の側縁から延出する一対の第１内フラップ１８を内側に略９０°折り曲げる。そして、天面パネル１１の両側の側縁から延出する一対の上外フラップ１６及び底面パネル１３の両側の側縁から延出する一対の下外フラップ１７を内側に略９０°折り曲げると共に、継代１５及び底面パネル１３の重なり合う部分を接着剤で貼着する。また、上外フラップ１６及び下外フラップ１７と第１内フラップ１８及び第２内フラップ１９との重なり合う部分を接着剤で貼着する。最後に、天面パネル１１と底面パネル１３とを１８０°反転させることで、図２のラップラウンド型の箱体２が組み立てられる。
【００２４】
当該箱用シート１は、１枚のシートから構成される。当該箱用シート１に用いられるシートとしては、当該箱用シート１を組み立ててなる箱体２の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
＜天面パネル及び底面パネル＞
天面パネル１１及び底面パネル１３は矩形状である。天面パネル１１と底面パネル１３とは略同一形状に形成されている。
【００２６】
天面パネル１１及び底面パネル１３の大きさは、収容する物品の大きさにより適宜決定されるが、例えば連接方向長さが１０ｃｍ以上４０ｃｍ以下、幅が１０ｃｍ以上５０ｃｍ以下とすることができる。
【００２７】
＜第１側面パネル及び第２側面パネル＞
第１側面パネル１２及び第２側面パネル１４は矩形状である。第１側面パネル１２と第２側面パネル１４とは略同一形状に形成されている。
【００２８】
第１側面パネル１２及び第２側面パネル１４の幅は、天面パネル１１の幅と略等しい。より正確には、第１内フラップ１８及び第２内フラップ１９と、上外フラップ１６及び下外フラップ１７とが重ね合わせ易いように、第１側面パネル１２及び第２側面パネル１４の幅は、天面パネル１１の幅よりもシート厚み分だけわずかに短いことが好ましい。
【００２９】
第１側面パネル１２及び第２側面パネル１４の連接方向長さは、収容する物品の高さにより適宜決定されるが、例えば５ｃｍ以上５０ｃｍ以下とすることができる。
【００３０】
＜上外フラップ及び下外フラップ＞
上外フラップ１６及び下外フラップ１７は略矩形状である。上外フラップ１６及び下外フラップ１７は、それぞれ天面パネル１１及び底面パネル１３の側縁の略全領域から延出している。
【００３１】
上外フラップ１６の延出方向長さは、第１側面パネル１２の連接方向長さの１／２以下とすることができる。また、下外フラップ１７の延出方向長さは、上外フラップ１６の延出方向長さと同じとすることができる。
【００３２】
＜第１内フラップ及び第２内フラップ＞
第１内フラップ１８及び第２内フラップ１９は略矩形状である。第１内フラップ１８及び第２内フラップ１９は、それぞれ第１側面パネル１２及び第２側面パネル１４の側縁の略全領域から延出している。
【００３３】
第１内フラップ１８及び第２内フラップ１９の延出方向長さは、上外フラップ１６の延出方向長さと同じとすることができる。
【００３４】
＜破断容易部＞
破断容易部２０は、天面パネル１１の側縁と平行に延び、天面パネル１１及び第１側面パネル１２の境界線を越えて第１側面パネル１２まで延在する一対の第１破断容易線２１と、第１側面パネル１２に形成され、第１破断容易線２１の端部同士に接続される第２破断容易線２２と、天面パネル１１及び第２側面パネル１４の境界線に形成され、第１破断容易線２１の他の端部同士に接続される第３破断容易線２３とを有する。
【００３５】
第１破断容易線２１乃至第３破断容易線２３の具体的な構成としては、特に限定されるものではないが、例えば複数の略Ｌ字状の切込みが間隔を空けて配置されたジッパー状の破断容易線や、複数の直線状の切込みが間隔を空けて配置されたミシン目とすることができる。破断容易線ごとに異なる構成を採用することもできるが、第１破断容易線２１乃至第３破断容易線２３は同じ構成とすることが好ましい。
【００３６】
（第１破断容易線）
一対の第１破断容易線２１は、直線状である。
【００３７】
図１に示す箱用シート１では、一対の第１破断容易線２１の間隔は、天面パネル１１の幅より小さいが、一対の第１破断容易線２１の間隔を天面パネル１１の幅と等しくしてもよい。つまり、一対の第１破断容易線２１は、天面パネル１１及び上外フラップ１６の境界線に形成されてもよい。一対の第１破断容易線２１の間隔は、必要とされる開口の大きさに合わせて適宜決定される。
【００３８】
また、図１に示す箱用シート１では、一対の第１破断容易線２１は、近接する天面パネル１１及び上外フラップ１６の境界線からの距離は、略等しいが、上記距離は異なってもよい。
【００３９】
一対の第１破断容易線２１の第１側面パネル１２に延在する部分（図１の延在部分２１ａ）が等長であるとよい。その長さ（図１のＬ）の下限としては、５ｍｍが好ましく、７ｍｍがより好ましい。一方、上記長さＬの上限としては、２０ｍｍが好ましく、１５ｍｍがより好ましい。上記長さＬが上記下限未満であると、第１側面パネル１２及び天面パネル１１の境界線に形成される折り曲げ容易線が後述する第２破断容易線２２の傾斜部２２ａの端部でストッパーとして働き、天面パネル１１部分へスムーズに開封できないおそれがある。逆に、上記長さＬが上記上限を超えると、後述する破断開始点となる手掛穴形成部３０から上記境界線が遠くなり破断する力が弱まり易いため、上記境界線がストッパーとして働き、天面パネル１１部分へスムーズに開封できないおそれがある。
【００４０】
（第２破断容易線）
第２破断容易線２２は、一対の第１破断容易線２１から連続して設けられ、互いに近接する方向に傾斜して延びる一対の傾斜部２２ａと、天面パネル１１及び第１側面パネル１２の境界線と平行に延び、一対の傾斜部２２ａの先端同士に接続される接続部２２ｂとを有している。傾斜部２２ａ及び接続部２２ｂは直線状に形成されている。
【００４１】
傾斜部２２ａと接続部２２ｂとのなす傾斜角度（図１のα）の下限としては、１５度が好ましく、２０度がより好ましい。一方、上記傾斜角度αの上限としては、４５度が好ましく、３０度がより好ましい。上記傾斜角度αが上記下限未満であると、第１破断容易線２１よりも第２破断容易線２２の方が選択的に破断し、破断容易部２０が手掛穴形成部３０からＶ字状に開封されないおそれがある。逆に、上記傾斜角度αが上記上限を超えると、傾斜部２２ａから接続部２２ｂへスムーズに開封させることができないおそれがある。
【００４２】
接続部２２ｂの長さの下限としては、１０ｃｍが好ましく、１５ｃｍがより好ましい。接続部２２ｂの長さが上記下限未満であると、一方の傾斜部２２ａから接続部２２ｂを経て他方の傾斜部２２ａへスムーズに開封させることができないおそれがある。一方、接続部２２ｂの長さの上限としては、特に限定されず、接続部２２ｂの長さは最大でも一対の第１破断容易線２１の間隔未満である。
【００４３】
傾斜部２２ａの長さの下限としては、７ｃｍが好ましく、１０ｃｍがより好ましい。傾斜部２２ａの長さが上記下限未満であると、手掛穴形成部３０の大きさが十分に確保できないおそれがある。一方、傾斜部２２ａの長さの上限としては、特に限定されず、第１側面パネル１２に収まる長さとできる。
【００４４】
＜手掛穴形成部＞
当該箱用シート１は、一方の傾斜部２２ａに、破断開始用の手掛穴形成部３０が設けられている。
【００４５】
手掛穴形成部３０が、第２破断容易線２２から天面パネル１１を見て右側の傾斜部２２ａ上に位置しているとよい。このように手掛穴形成部３０を第２破断容易線２２から天面パネル１１を見て右側の傾斜部２２ａ上に位置させることで、一般に多い右利きの使用者に使い勝手よくすることができる。
【００４６】
手掛穴形成部３０が、先端同士が突き合わされ、組み立てた状態の箱体２の内側に押し込み可能な一対の破断開始片３１を有し、一対の破断開始片３１の先端が傾斜部２２ａで画定されているとよい。このように手掛穴形成部３０を画定することで、傾斜部２２ａに沿って容易に開封させることができる。
【００４７】
破断開始片３１の形状としては、図１に示すように、長方形の両端に１／４円が連結された半楕円状とすることができ、突き合わされた一対の破断開始片３１全体で長丸長方形状となる。破断開始片３１の長方形部分の傾斜部２２ａとは反対側の辺は折り曲げ容易線で形成されており、１／４円の周は切断線で形成されている。
【００４８】
一対の破断開始片３１の先端部分の長さ（傾斜部２２ａで画定されている部分の長さ）は、５ｃｍ以上１０ｃｍ以下とすることができる。また、突き合わされた一対の破断開始片３１全体の幅（傾斜部２２ａに垂直な方向の長さ）は、１．５ｃｍ以上３ｃｍ以下とすることができる。一対の破断開始片３１の大きさ（長さ及び幅）を上記範囲内とすることで、手掛して開封し易い大きさとなる。
【００４９】
＜破断容易部の開封手順＞
破断容易部２０は、以下の手順により開封することができる。
【００５０】
まず、図３に示すように、手掛穴形成部３０の一対の破断開始片３１を箱体２の内側へ押し込んで、一対の破断開始片３１の先端を画定している傾斜部２２ａを破断する。これにより手掛穴形成部３０に手を掛ける穴（手掛穴）をあけることができる。
【００５１】
次に、この手掛穴に手を掛け、上記手掛穴を起点として破断容易部２０を破断させていく。このとき、図４に示すように、手掛穴形成部３０の位置していた傾斜部２２ａが破断され、続いてこの傾斜部２２ａの両端に連続する接続部２２ｂ及び第１破断容易線２１がＶ字状に破断されていく。
【００５２】
さらに開封を続けると、接続部２２ｂ側はこれに続く傾斜部２２ａ、第１破断容易線２１と破断が続く。一方、傾斜部２２ａに連続する第１破断容易線２１は第３破断容易線２３へ破断が続き、両者は第３破断容易線２３で合流し、破断容易部２０が箱体２から取り去られる。
【００５３】
＜利点＞
当該箱用シート１は、手掛穴形成部３０が第２破断容易線２２の傾斜部２２ａに設けられている。このため、この手掛穴形成部３０から開封を始めると、傾斜部２２ａに近い側の第１破断容易線２１と第２破断容易線２２の接続部２２ｂとが、Ｖ字状に開封されていく。このＶ字の角度は、例えば第１側面パネル１２の高さが低い場合であっても約９０度であるから、組み立てられる箱体２の形状によらず容易に開封することができる。
【００５４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５５】
上記実施形態では、第１破断容易線の他の端部同士に接続される第３破断容易線が天面パネル及び第２側面パネルの境界線に形成される場合を説明したが、第３破断容易線は天面パネル上に形成されてもよい。第３破断容易線の位置は所望の開口形状となるように適宜決定できる。また、破断容易部を組み立てた箱体から取り去る必要が無い場合は、第３破断容易線に代えて例えば折り曲げ容易線としてもよい。
【００５６】
上記実施形態では、破断容易部が第１側面パネルに設けられている場合を説明したが、破断容易部は第２側面パネルに設けられてもよい。
【００５７】
上記実施形態では、手掛穴形成部が、先端同士が突き合わされ、組み立てた状態の箱体の内側に押し込み可能な一対の破断開始片を有し、一対の破断開始片の先端が傾斜部で画定されている場合を説明したが、手掛穴形成部はこの構成に限定されるものではない。例えば一対の破断開始片の先端の突き合わせが、傾斜部に直交するように画定されていてもよい。
【００５８】
上記実施形態では、継代が第２側面パネルと底面パネルとを接続する位置に設けられているが、継代は、他の隣接する２つのパネル間に設けられてもよい。
【００５９】
当該箱用シートは、ラップラウンド型の箱体に組み立てできるものであれば、天面パネル、底面パネル、第１側面パネル及び第２側面パネル以外のパネルの有無や形状については特に限定されない。
【産業上の利用可能性】
【００６０】
以上のように、本考案の箱用シートは、容易に開封することができる物品取り出し用の開口を形成可能な破断容易部を備える。
【符号の説明】
【００６１】
１  箱用シート
２  箱体
１１  天面パネル
１２  第１側面パネル
１３  底面パネル
１４  第２側面パネル
１５  継代
１６  上外フラップ
１７  下外フラップ
１８  第１内フラップ
１９  第２内フラップ
２０  破断容易部
２１  第１破断容易線
２１ａ  延在部分
２２  第２破断容易線
２２ａ  傾斜部
２２ｂ  接続部
２３  第３破断容易線
３０  手掛穴形成部
３１  破断開始片
【図１】
0003235242.tif 000003
【図２】
0003235242.tif 000004
【図３】
0003235242.tif 000005
【図４】
0003235242.tif 000006